(57)【要約】【課題】複数の記録媒体を装填可能なデジタルカメラにおいて、撮影後に目的とする画像を簡単に探し出すことのできるデジタルカメラを提供することを目的とする。【解決手段】複数の記録媒体Ａ及び記録媒体Ｂを具備し、撮影条件を設定するためのモードダイヤル１１によって設定される露出条件に応じて（＃８７）、またはホワイトバランス、ＩＳＯ感度の設定に応じて、記録媒体Ａまた記録媒体Ｂのいずれかに振り分けて記録する（＃８９、＃９１）。【選択図】  図１１
2007214935.tif 000002
【特許請求の範囲】
【請求項１】
複数の記録媒体を装填可能なデジタルカメラにおいて、
撮影条件を設定するための撮影条件設定手段と、
撮像素子で取得した画像信号から記録用画像を生成する画像処理手段と、
上記撮影条件設定手段の設定に応じて、上記記録用画像を上記複数の記録媒体のいずれかに振り分けて記録する画像記録手段と、
を具備することを特徴とするデジタルカメラ。
【請求項２】
上記撮影条件は、記念写真に適した撮影条件と、作品づくりに適した撮影条件を選択可能であることを特徴とする請求項１に記載のデジタルカメラ。
【請求項３】
上記撮影条件設定手段は、露出モード、ホワイトバランス、ＩＳＯ感度の少なくともひとつを設定するものであることを特徴とする請求項１に記載のデジタルカメラ。
【請求項４】
上記撮影条件設定手段は、上記撮影条件をカメラまかせで設定する全自動設定状態と、上記撮影条件の少なくとも一部をユーザによって設定可能な手動設定状態を選択可能であることを特徴とする請求項１に記載のデジタルカメラ。
【発明の詳細な説明】
【技術分野】
【０００１】
本発明は、複数の記録媒体を装着可能なデジタルカメラに関する。
【背景技術】
【０００２】
デジタルカメラにおいては、撮影した画像を着脱自在な記録媒体（メモリカード、記憶媒体、記録メディア等、種々の呼称がある）に保存するのが一般的である。そして、近年、市販のデジタルカメラの一部には、記録媒体を複数枚同時に装填できるものもある。そして、複数の記録媒体を併用することで、デジタルカメラの機能アップを図る提案もなされている。
【０００３】
例えば、連続撮影を行う際には、画像情報を複数の記録媒体に分割して転送しパラレル記録するようにして、記録速度の向上を図る電子カメラが提案されている（特許文献１）。また、動画の撮影時、一方の記録媒体に空き容量がなくなった場合には、別の記録媒体に継続して記録するようにしたデジタルカメラが提案されている（特許文献２）。さらに、連続撮影時に、複数の記録媒体に撮影画像を振り分けて記録することでデータ転送時間の短縮を図るようにしたデジタルカメラが提案されている（特許文献３）。
【０００４】
【特許文献１】特開平７−１３５５８９
【特許文献２】特開２００５−８０００８
【特許文献３】特開２００５−１７５５７４
【発明の開示】
【発明が解決しようとする課題】
【０００５】
このように複数の記録媒体を装填可能とするデジタルカメラは種々提案されているが、複数の記録媒体を使用した場合に使用用途に応じて記録媒体の記録先を振り分けることについては、何ら提案されていない。即ち、デジタルカメラは、一般ユーザ向けのコンパクトタイプからプロカメラマン向けの高価な一眼レフカメラまで、その種類は多い。さらに、最近では、デジタル一眼レフカメラといっても、プロカメラマンやハイアマチュア向けの高機能、高性能、高価なものだけではなく、入門者向けの安価、かつ簡単な操作で使用できるタイプも販売されている。このような入門者向けのデジタル一眼レフカメラであっても、プロカメラマン向けと同様に数多くの交換レンズやアクセサリも使用可能であるので、使い方によっては、記念写真を超えた写真、いわゆる「作品」を作ることも可能である。
【０００６】
従来のデジタルカメラは、撮影した画像を１つのメモリカードに順番に記録していたので、後日、記録されている画像の中から、例えば、作品候補を選択しようとしても、単なる記念写真と作品とが混在していたので、探し出すのが大変わずらわしいものであった。
【０００７】
本発明はこのような事情に鑑みてなされたものであって、撮影後に目的とする画像を簡単に探し出すことのできるデジタルカメラを提供することを目的とする。
【課題を解決するための手段】
【０００８】
上記目的を達成するために第１の発明に係わるデジタルカメラは、複数の記録媒体を装填可能なデジタルカメラにおいて、撮影条件を設定するための撮影条件設定手段と、撮像素子で取得した画像信号から記録用画像を生成する画像処理手段と、上記撮影条件設定手段の設定に応じて、上記記録用画像を上記複数の記録媒体のいずれかに振り分けて記録する画像記録手段を具備する。
【０００９】
また、第２の発明に係わるデジタルカメラは、上記第１の発明において、上記撮影条件は、記念写真に適した撮影条件と、作品づくりに適した撮影条件を選択可能であることを特徴とする。
さらに、第３の発明に係わるデジタルカメラは、上記第１の発明において、上記撮影条件設定手段は、露出モード、ホワイトバランス、ＩＳＯ感度の少なくともひとつを設定するものであることを特徴とする。
【００１０】
さらに、第４の発明に係わるデジタルカメラは、上記第１の発明において、上記撮影条件設定手段は、上記撮影条件をカメラまかせで設定する全自動設定状態と、上記撮影条件の少なくとも一部をユーザによって設定可能な手動設定状態を選択可能であることを特徴とする。
【発明の効果】
【００１１】
本発明によれば、設定された撮影条件に応じて自動的に画像を記録する記録媒体を自動的に切換えるようにしたので、撮影後に目的とする画像を簡単に探し出すことのできるデジタルカメラを提供することができる。また、作品を意図した写真撮影によく使われる撮影モードで撮影したか否かによって記録媒体を自動的に切換えるようにしたので、作品候補を撮影後に探し出すのが甚だ簡単なデジタルカメラを提供できる。さらに、記念写真によく使われる撮影モードで撮影したか否かによって記録媒体を自動的に切換えるようにしたので、記念写真を撮影後に探し出すのが甚だ簡単なデジタルカメラを提供できる。
【発明を実施するための最良の形態】
【００１２】
以下、図面に従って本発明を適用したデジタル一眼レフカメラを用いて好ましい実施形態について説明する。図１は、本発明の実施形態に係るデジタル一眼レフカメラの全体構成を示すブロック図であり、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００１３】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００１４】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００１５】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには、ハーフミラー部を覆う位置に回動し、可動ミラー２０１が被写体像観察位置にあるときには、図示する如く可動ミラー２０１に対して垂直となる位置にある。この可動ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量を測定するための回路である。
【００１６】
可動ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ（Charge Coupled Devices）２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide Semiconductor）等の二次元撮像素子を使用できることはいうまでもない。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。
【００１７】
画像処理回路２２７は、ＡＳＩＣ（Application Specific Integrated Circuit 特定用途向け集積回路）２７１内のデータバス２６１に接続されている。このデータバス２６１には、画像処理回路２２７の他、後述するシーケンスコントローラ(以下、「ボディＣＰＵ」と称す)２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００１８】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００１９】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体Ａ２４５と記録媒体Ｂ２４６に接続され、この記録媒体Ａ２４５および記録媒体Ｂ２４６への画像データ等の記録の制御を行う。記録媒体Ａ２４５および記録媒体Ｂ２４６は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２４５および記録媒体Ｂ２４６は同種の媒体でも、異種の媒体の組み合わせでも良いが、例えば、記録媒体Ａ２４５として大容量のコンパクトフラッシュとし、記録媒体Ｂ２４６として小型で使い易いｘＤピクチャーカードにするといった組み合わせが考えられる。
【００２０】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体Ａ２４５または記録媒体Ｂ２４６に記憶された画像データを、液晶モニタ２６に表示するためのビデオ信号に変換するための回路である。液晶モニタ２６はカメラ本体２００の背面に配置されるが（後述する図2参照）、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、撮影モードを指示するスイッチ、選択された各モード等を決定するＯＫスイッチ、画質を指示するスイッチ等の各種スイッチ３５５は、スイッチ検出回路２５３を介してデータバス２６１に接続されている。
【００２１】
次に、本発明の適用されたデジタル一眼レフカメラについて図２に示す背面からみた外観斜視図を用いて説明する。
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンによりＣＣＤ２２１の出力に基づいて被写体像の画像データの取り込みを行う撮影動作を実行する。
【００２２】
モードダイヤル２２は回転可能に構成された操作部材であり、モードダイヤル２２上に設けられた撮影モードを表す絵表示または記号（図５参照）に指標に合致させることにより、フルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード、風景撮影モード、マクロ撮影モード、スポーツ撮影モード、夜景撮影モードの各撮影モードを選択することができる。ここで、フルオート撮影モードは、レンズの絞り値、シャッタ速度をカメラで自動的に設定し、暗いときにはフラッシュ（不図示）が自動的にポップアップし、フラッシュ撮影を可能とするモードである。一般的な記念撮影にはこのモードで十分である。プログラム撮影モードは適正露光となる絞り値とシャッタ速度をカメラが自動的に決めて設定するモードである。絞り優先撮影モードは、絞り値を撮影者が設定すると、適正露光となるシャッタ速度をカメラ自動的に決めて設定するモードである。シャッタ優先撮影モードは、シャッタ速度を撮影者が設定すると、適正露光となる絞り値をカメラが自動的に決めて設定するモードである。マニュアル撮影モードは、絞り値とシャッタ速度を撮影者が設定するモードである。
【００２３】
ポートレート撮影モードは、人物撮影をするのに最適なモードであり、風景撮影モードは、風景を撮影するのに最適なモードであり、マクロ撮影モードは被写体に近接した撮影を行うのに最適なモードであり、スポーツ撮影モードはスポーツなどの動きのある被写体を撮影するのに最適なモードであり、夜景撮影モードは、夜景と人物を一緒に撮影するのに最適なモードである。コントロールダイヤル２４は、シャッタ速度、絞り値、ＩＳＯ感度、補正値等の撮影情報の設定を行うための操作部材であり、回転操作により種々の設定値の変更を行うことができる。
【００２４】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、OK釦３１、高画質設定釦３３、標準画質設定釦３４、ホワイトバランス釦３７、ＩＳＯ感度釦３８が配置されている。液晶モニタ２６は、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。前述のＳＤＲＡＭ２３７、記録媒体Ａ２４５や記録媒体Ｂ２４６にＪＰＥＧ等の圧縮モードで記憶されている被写体の画像データを伸張して表示する。
【００２５】
十字釦３０は液晶モニタ２６上で、X方向とY方向の２次元方向にカーソルの移動を指示するための操作部材であり、また、後述するように、記録媒体に記録された被写体像を表示するにあたって、記録媒体の指示にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。OK釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、OK釦３１の操作により選択を決定する。
【００２６】
高画質設定釦３３は、撮影者がプリント等に使用する等の用途のために高画質で撮影を行いたい場合に高画質モードを設定するための操作釦である。高画質モードでの撮影条件としては、例えば、ＳＨＱモードが対応し、画像サイズが３２６４×２４４８、圧縮率が１／２．７、ファイルがＪＰＥＧ形式とするが、これに限らず、プリント等に相応しい画質であればよい。また、標準画質設定釦３４は、撮影者が電子メール添付等に使用するためにデータ容量を抑えて撮影したい場合に標準画質モードを設定するための操作釦である。標準画質モードでの撮影条件としては、例えば、ＳＱモードが対応し、画像サイズが６４０×４８０、圧縮率が１／８、ファイルがＪＰＥＧ形式とするが、これに限らず、電子メールに添付する程度の容量であればよい。これら高画質設定釦３３または標準画質設定釦３４の操作により前述のスイッチ検出回路２５３に対してオン信号が伝達される。なお、画質は、前述のメニュー釦２８の操作によって画質設定のためのモードを選択し、図１２に示されるような、ＲＡＷ、ＴＩＦＦ、ＳＨＱ、ＳＱの各モード、画像サイズ、圧縮形式を選択することにより、上記高画質モードおよび標準画質モード以外の画質を選択することもできる。
【００２７】
ホワイトバランス釦３７は、ホワイトバランスを設定するための操作釦であり、このホワイトバランス釦３７を操作することによって、液晶モニタ２６に図６に示すような設定画面が表示される。設定画面では、オート、太陽光、曇天、日陰、電球、蛍光灯１〜３、ワンショット等の各モードが表示され、前述のコントロールダイヤル２４の回転操作によって選択し、ＯＫ釦３１の操作によって決定することができる。カメラ任せにする場合には、オートを選択し、撮影意図によって、太陽、曇天、日陰、電球、蛍光灯１〜３、ワンショットのいずれかを設定することができる。なお、初期状態では、オートが設定されているので、撮影者が設定しなければ、オートのままである。ＩＳＯ感度釦３８は、ＩＳＯ感度を設定するための操作釦であり、このＩＳＯ感度釦３８を操作するによって、液晶モニタ２６に図７に示すような設定画面が表示される。設定画面では、オート、感度１００〜１６００の各感度が表示され、前述のコントロールダイヤル２４の回転操作によって選択し、ＯＫ釦３１の操作によって決定することができる。カメラ任せにする場合には、オートを選択し、撮影意図がある場合には、感度１００〜１６００の範囲内で撮影者が任意に設定することができる。
【００２８】
カメラ本体２００の側面には、記録媒体収納蓋４０が開閉自在に取り付けられている。図３に図示する如く、この記録媒体収納蓋４０を開放すると、この内部に記録媒体Ａ２４５用の装填スロット４１と、記録媒体Ｂ２４６用の装填スロット４２が設けられている。これらの記録媒体Ａ２４５と記録媒体Ｂ２４６はカメラ本体２００に対して、脱着自在に装填可能となっている。
【００２９】
次に、図４を用いて、カメラ本体２００の表示および動作モードの概略について説明する。
情報表示Ｍ１００はカメラ本体２００の電源スイッチがオンとなったときの状態であり、この状態でメニュー釦２８を操作しオンとすると、液晶モニタ２６にメニュー設定表示がなされ、この状態で十字釦３０Ｕ、３０Ｄ、３０Ｌ、３０Ｒを操作して各種項目を選択し、OK釦３１を操作し決定することにより、メニュー設定動作は終了し、情報表示Ｍ１００に戻る。メニュー設定表示により、前述の画質モードの選択の他に、フラッシュモード、フラッシュ補正モード、タイマ撮影、連写・単写切換、オートフォーカス方式（シングルＡＦとコンティニュアスＡＦ）等の各モードの設定を行うことができる。また、撮影モード、ＩＳＯ感度またはホワイトバランス調整といった撮影条件の設定動作Ｍ１２０は、モードダイヤル２２、ホワイトバランス釦３７、ＩＳＯ釦３８を操作することによって、この設定動作Ｍ１２０に入る。この設定動作Ｍ１２０に入ると、コントロールダイヤル２４を操作することによって各撮影条件を選択することができ、ＯＫ釦３１をオンとすることによって各種の撮影条件を決定し、情報表示Ｍ１００に戻る。
【００３０】
情報表示Ｍ１００の状態において、レリーズ釦２１を半押しすることによって、１Ｒスイッチがオンとなり、撮影動作Ｍ１３０に入り、レリーズ釦２１から手を離し、半押しが解除されることによって情報表示Ｍ１００に戻る。この撮影動作Ｍ１３０では、撮影準備動作を行い、それに続いて、レリーズ釦２１を全押しすることによって、ＣＣＤ２２１から被写体像の光電変換信号を取り込み、画像処理回路２２７によって画像処理の上、画像データを記録媒体Ａ２４５または記録媒体Ｂ２４６に記録動作を行う。また、情報表示Ｍ１００において、再生釦２７を操作しオンとすることによって再生動作Ｍ１４０を実行する。再生動作Ｍ１４０は、記録媒体Ａ２４５または記録媒体Ｂ２４６に記録されている画像データに基づいて、液晶モニタ２６に記録画像の表示を行うものであって、十字釦３０の操作により撮影駒の指示を行うことができる。
【００３１】
次に、前述の撮影動作Ｍ１３０について、図８に示すフローチャートを用いて、その詳細を説明する。
レリーズ釦２１の半押しがなされると撮影動作に入り、測光センサ２１１の出力に基づいて被写体輝度の測定を行う（＃２１）。ここで得た被写体輝度に基づいてシャッタ速度及び／又は絞り値を演算により求める（＃２３）。なお、ここで、求めるシャッタ速度及び／または絞り値は、前述の撮影モードにしたがって行う。この後、測距回路２１７の出力に基づいて撮影レンズ１０１、１０２のピントズレ量を演算で求め、このズレ量に基づいて、レンズＣＰＵ１１１を介してレンズ駆動回路１０７を駆動しピント合わせを行う。
【００３２】
撮影レンズ１０１、１０２のピント合わせが終了したら、次に、レリーズ釦２１の全押しによってオンとなる第２レリーズスイッチがオンか否かかの判定を行い（＃２７）、オンではない場合には、レリーズ釦２１の半押しによってオンとなる第１レリーズスイッチがオンか否かかの判定を行う（＃２９）。判定の結果、オンであった場合には、レリーズ釦は半押し状態ではあるが、全押し状態とはなっていないので、ステップ＃２７と＃２９を繰り返し行う待機状態となる。ステップ＃２９にてレリーズ釦２１から手が離れ、第１レリーズスイッチがオフとなった場合には、ＮＯで抜けて、元のルーチンに戻る。
【００３３】
一方、レリーズ釦２１が全押しされると、ステップ＃２７にて第２レリーズスイッチがオンとなり、＃３１以下のステップで、実際に撮像を行い画像データの記録を行うための処理を実行する。まず、可動ミラー２０１のアップ動作を行い（＃３１）、これによって、撮影レンズ１０１、１０２を透過した被写体光はＣＣＤ２２１上に被写体像として結像する。続いて、絞り１０３の絞込み動作を開始し（＃３３）、ＣＣＤ２２１による撮像を開始する。同時にシャッタ２１３の先幕の走行を開始し、所定時間経過後に後幕の走行を開始させる（＃３７）。この後、ＣＣＤ２２１による撮像を停止し（＃３９）、ＣＣＤ駆動回路２２３は画像信号の読み出しを行い、画像処理回路２２７による画像処理を実行する（＃４１）。この画像処理された画像データはバッファメモリとしてのＳＤＲＡＭ２３７に格納される（＃４３）。続いて、絞り１０３を開放状態に復帰させ（＃４５）、可動ミラー２０１をダウンさせ（＃４７）、ファインダ光学装置を被写体像観察状態にする。
【００３４】
この後、撮影モードが連写モードになっているか否かを判定し（＃４９）、連写モードと判定された場合には、レリーズ釦が全押し状態のままか否かを判定する（＃５１）。全押しのまま、即ち、第２レリーズスイッチがオンであった場合には、ステップ＃３１に戻り、撮影を繰り返す。また、レリーズ釦から手が離れ、第２レリーズスイッチがオフとなると連写は終了する（＃５１でＮＯ）。ステップ＃４９にて連写モードでなかった場合と、連写モードを終了した場合には、ステップ＃５３に進み、ＳＤＲＡＭ２３７等のバッファメモリに記憶していた画像データを記録媒体（メモリカード）Ａ２４５または記録媒体Ｂ２４６に記録する（＃５３）。このメモリカードに記録するためのサブルーチンの詳細については後述する。続いて、レリーズ釦が半押し状態のままか、即ち、第１レリーズスイッチがオンであるか否かを判定し、オンの場合には、そのまま待機状態でオフとなるのを待ち、オフとなったら、パワーオンリセットルーチンに戻る（＃５５）。
【００３５】
次に、前述の再生動作Ｍ１４０について、図９に示すフローチャートを用いて、その詳細を説明する。
再生釦２７の操作がなされると再生動作に入り、まず記録媒体Ａ２４５を選択する（＃６１）。これは、記録媒体に記録されている画像データを読み出すにあたって、デフォルト値として記録媒体Ａ２４５を指定しておくものである。続いて、記録媒体Ａ２４５に記録されている最新画像データの読み出しを行い（＃６３）、この読み出された画像データに基づいて、液晶モニタ２６に最新画像の表示を行う（＃６５）。なお、後述するステップ＃７７において、記録媒体Ｂ２４６が選択された後に、ステップ＃６３に戻った場合には、記録媒体Ｂ２４６に記録されている画像データを読み出す。
【００３６】
ステップ＃６７に進み、アップ用十字釦３０Ｕがオンか否かの判定を行い、オンの場合、即ち操作された場合には、ステップ＃６１に戻り、記録媒体Ａ２４５の選択を行う。アップ用十字釦３０Ｕが操作されていなかった場合には、ステップ＃６９に進み、ダウン用十字釦３０Ｄがオンか否かの判定を行い、オンであった場合には、記録媒体Ｂ２４６を選択する。これは、再生モードにおいては、アップ用十字釦３０Ｕは記録媒体Ａ２４５を選択するための釦であり、またダウン用十字釦３０Ｄは記録媒体Ｂ２４６を選択するための釦として割り当てられていることから、アップ用またはダウン用十字釦３０Ｕ、３０Ｄが操作されたかどうかを判定し、記録媒体の選択を行っている。なお、ステップ＃６７にて十字釦３０Ｕが操作された場合に、デフォルト値として記録媒体Ａ２４５が選択されているにも係わらず、再びステップ＃６１に戻り記録媒体Ａ２４５を再選択しているのは、ステップ＃６９にて記録媒体Ｂ２４６が選択された後に、記録媒体Ａ２４５が選択される場合があるためである。
【００３７】
ステップ＃６７または＃６９において、画像データの再生を行う記録媒体を選択した後、読み出し対象となる駒の選択を行う。即ち、ステップ＃７１において、右用十字釦３０Ｒが操作されたか否かの判定を行い、操作された場合には、１駒、後の画像データの読み出しを行う。ステップ＃７１においてＮｏだった場合には、ステップ＃７３に進み、左用十字釦３０Ｌが操作されたか否かの判定を行い、操作された場合には、１駒、前の画像データの読み出しを行う。ステップ＃７９または＃８１において、所定の画像の読み出しを行った後は、ステップ＃６５に戻り、読み出した画像の表示を行う。
【００３８】
十字釦３０Ｕ、３０Ｄ、３０Ｒ、３０Ｌのいずれも操作されていなかった場合には、ステップ＃７５に進み、再生釦２７のオンか否かの判定を行う。再生動作は、一度再生釦２７が操作されオンとなった時にスタートし、次に再生釦が操作されてオンとなった時に終了するので、ステップ＃７５にて再生釦オンかでＮｏの場合には、再生動作を続行するためにステップ＃６７に戻る。一方、再生釦オンかでＹｅｓの場合には、再度、再生釦２７が操作されたので、再生動作を終了し、元のルーチンに戻る。
【００３９】
以上の再生動作について図１３を用いて説明する。ここで、記録媒体Ａ２４５と記録媒体Ｂ２４６には、図１３に示されるように、１駒目、２駒目、６駒目、８駒目、９駒目、１２駒目は記録媒体Ａ２４５に記録され、３駒目、４駒目、５駒目、７駒目、１０駒目、１１駒目は記録媒体Ｂ２４６に記録されている。この状態で、再生動作に入ると、最初は、ステップ＃６１において、記録媒体Ａが選択されており、例えば１駒目が液晶モニタ２６に表示される（ステップ＃６５）。次にステップ＃６７および＃６９において、記録媒体の選択がなされずに、ステップ＃７１において右側十字釦３０Ｒが操作されると、次の駒である２駒目が読み出され（＃７９）、液晶モニタ２６に表示され、順次、右側十字釦３０Ｒが操作されると、続いて、６駒目、８駒目、９駒目、１２駒目がそれぞれ読み出され、表示される。また、左側十字釦３０Ｌが操作されると（＃７３）、１２駒目、９駒目、８駒目、６駒目、２駒目、１駒目の順に液晶モニタ２６の表示が移っていく。
【００４０】
一方、ダウン十字釦３０Ｄが操作されると（＃６９）、記録媒体Ｂ２４６が選択され（＃７９）、右側十字釦３０Ｒが操作されるたびに、３駒目、４駒目、５駒目、７駒目、１０駒目、１１駒目の順に表示が移っていく。また、左側十字釦３０Ｌが操作されると（＃７３）、１１駒目、１０駒目、７駒目、５駒目、４駒目、３駒目の順に液晶モニタ２６の表示が移っていく。なお、これらの駒の表示は上記順番に沿って表示されるものであるが、常に１駒目や１２駒目から表示がスタートするものではない。
【００４１】
このように、記録画像の表示にあたって、十字釦３０の左右にある右側十字釦３０Ｒと左側十字釦３０Ｌを、駒送りの操作部材として使用すると共に、十字釦３０の上下にアップ十字釦３０Ｕとダウン十字釦３０Ｄを記録媒体の切換に使用しているので、複数の記録媒体ごとに記録画像を確認するのが簡単することができる。なお、本実施形態では、駒送りは十字釦３０の左右の釦に割り当て、記録媒体の切換は十字釦３０の上下の釦に割り当てたが、これとは逆に割り当ても良いことは勿論である。
【００４２】
次に図８に示す撮像動作のルーチン中の「メモリカードに記録」について、図１１を用いて説明する。
まず、バッファメモリとしてのＳＤＲＡＭ２３７に記憶されている画像データの読み出しを行う（＃８５）。続いて、露出のための撮影モードが全自動（フルオート撮影）モードか否かを判定する（＃８７）。即ち、モードダイヤル１１によって撮影モードとして、前述したように全自動で撮影を行うフルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード、風景撮影モード、マクロ撮影モード、スポーツ撮影モード、夜景撮影モードのいずれかが設定される。この設定された撮影モードの内、フルオート撮影モード以外の撮影モードが設定されていると判定された場合には、ステップ＃８９に進み、バッファメモリに記憶されていた画像データを記録媒体Ａ２４５に記録する。一方、フルオート撮影モードが設定されている場合には、ステップ＃９１に進み、画像データを記録媒体Ｂ２４６に記録する。次にバッファメモリに記憶されている全画像が記録媒体Ａ２４５または記録媒体Ｂ２４６に記録されたか否かの判定を行う（＃９３）。全ての画像データについて記録が終了していない場合には、ステップ＃８５に戻り、次の駒の画像データの記録を行い、全ての画像データの記録が終了した場合には、元のルーチンに戻る。これにより、連写モードの場合であっても、全ての駒について記録媒体Ａ２４５または記録媒体Ｂ２４６に画像データの記録を行うことができる。
【００４３】
本実施形態では、フルオート撮影モードで撮影した場合には、記録媒体Ｂ２４６に画像データを記録し、一方、フルオート撮影モード以外の撮影モードで撮影した場合には、記録媒体Ａ２４５に画像データを記録するように構成している。これは、記念撮影のような一般的な撮影はフルオート撮影モードのようなカメラ任せのモードで撮影され、「作品」として撮影する場合には、絞り優先、シャッタ優先、マニュアルといった撮影者の意図が反映させやすいモードで撮影することから、これらの使用用途に合わせて、画像データの記録先を自動的に振り分けている。このため、使用意図の異なる画像が混在することが少なくなり、写真の整理が簡単になるという効果がある。なお、本実施形態ではステップ＃８７における判定を、フルオート撮影モードとそれ以外に分けたが、これに限らず、例えば、フルオート撮影モード、プログラム撮影モード、ポートレート撮影モード、風景撮影モード、マクロ撮影モード、スポーツ撮影モード、夜景撮影モードとからなる一群は、カメラ任せに近い撮影モードであることから、記録媒体Ｂ２４６に記録し、絞り優先撮影モード、シャッタ撮影優先モード、マニュアル撮影モードとからなる他の一群は、撮影者の意図を反映させようとする傾向が強いことから、記録媒体Ａ２４５に記録するようにしてもよい。グループ分けは、それぞれの設計思想にあわせて適宜変更できる。
【００４４】
次に、本実施形態の「メモリカードに記録」の変形例について図１２（Ａ）および図１２（Ｂ）を用いて説明する。
前述した本実施形態では、モードダイヤル１１によって設定される撮影モードによって、記録媒体Ａ２４５と記録媒体Ｂ２４６のいずれに記録するかを振り分けていた。変形例１では、ホワイトバランスの設定によって振り分け、変形例２ではＩＳＯ感度の設定によって振り分けるようにしている。
【００４５】
まず、変形例１について説明すると、ステップ＃１０３以外は、図１１に示すステップ＃８５、＃８９〜＃９３と同様であるので、詳しい説明は省略する。ステップ＃１０３において、ホワイトバランスが自動設定となっている否かの判定を行う。前述のホワイトバランス釦３７によってオート、太陽光、曇天、日陰、電球、蛍光灯１〜３、ワンショット等のいずれかが設定可能である。設定されているホワイトバランスが、自動設定の場合には、記録媒体Ｂ２４６に画像データの記録を行う（＃１０７）。一方、ホワイトバランスが、オート以外の太陽光、曇天、日陰、電球、蛍光灯１〜３、ワンショット等が設定されている場合には、記録媒体Ａ２４５に画像データの記録を行う（＃１０５）。
このように、ホワイトバランスの設定状況に応じて、画像の記録媒体の記録先を振り分けているのは、記念撮影のような一般的な撮影では、ホワイトバランスの設定は、カメラ任せの「オート」に設定しておくのが普通であり、また、「作品」として撮影する場合には、オート以外に合わせておくのが、普通であるからである。このような使用意図に合わせて画像データの記録先を自動的に振り分けている。このため、使用意図の異なる画像が混在することが少なくなり、写真の整理が簡単になるという効果がある。なお、この分け方は、この実施形態の分け方に限るものではなく、それぞれの設計思想にあわせて適宜変更することができる。
【００４６】
次に、変形例２について説明すると、これもステップ＃１１３以外は、図１１に示すステップ＃８５、＃８９〜＃９３と同様であるので、詳しい説明は省略する。ステップ＃１１３において、ＩＳＯ感度の設定が自動設定となっているか否かの判定を行う。前述のＩＳＯ釦３７によって、オートまたは感度１００〜１６００の範囲内で設定することができる。設定されたＩＳＯ感度がオート、即ち、自動設定となっている場合には、記録媒体Ｂ２４６に画像データが記録される（＃１１７）。一方、自動設定以外のＩＳＯ感度が設定されている場合には、記録媒体Ａ２４５に画像データが記録される（＃１１５）。
このように、ＩＳＯ感度の設定状況に応じて、画像の記録媒体の記録先を振り分けているのは、記念撮影のような一般的な撮影では、ＩＳＯ感度の設定は、カメラ任せの「オート」に設定しておくのが普通であり、また、「作品」として撮影する場合には、オート以外に合わせておくのが、普通であるからである。このような使用意図に合わせて画像データの記録先を自動的に振り分けている。このため、使用意図の異なる画像が混在することが少なくなり、写真の整理が簡単になるという効果がある。なお、この分け方は、この実施形態の分け方に限るものではなく、それぞれの設計思想にあわせて適宜変更すればよい。
【００４７】
これらの本実施形態、変形例１および変形例２では、自動設定となっている場合には、記念撮影ということで記録媒体Ｂ２４６に記録するようにし、一方、自動設定以外の撮影者の意図がこめられるような設定を行う場合には、「作品」のための撮影ということで記録媒体Ａ２４５に記録するようにしている。このため、記録媒体ごとにその使用用途が統一してあるので、撮影後の整理に都合が良い。
また、本実施形態、変形例１、変形例２は、それぞれ別々の例として説明したが、ひとつのデジタルカメラに全ての機能を設けることは勿論可能であり、例えば、露出モード設定、ホワイトバランス設定、ＩＳＯ感度のいずれかがひとつでも自動設定となっていれば、記録媒体Ｂ２４６に記録するようにしてもよい。この場合には、記録媒体Ｂ２４６は記念撮影用、記録媒体Ａ２４５は「作品」用ということで、記録媒体に使用用途のことなる画像データが混在することを最小限にすることができる。
【００４８】
以上、説明したように本発明の実施形態においては、露出モード設定に基づいて画像データの記録先を記録媒体Ａ２４５にするか記録媒体Ｂ２４６にするかを自動的に振り分けるようにしたので、各記録媒体には、様々な使用用途の画像データが混在して記録されることはなくなる。このため記録媒体に記録された画像データから「作品」の候補を選択するのが簡単であり、また、記録媒体の中から記念撮影のみプリントする場合等、簡単に行うことができ、ユーザにとって使い勝手が良いものとなっている。また、本発明の実施形態の変形例においては、ホワイトバランス設定やＩＳＯ感度設定に基づいて記録媒体を自動的に振り分けるようにしたので、実施形態と同様の効果がある。なお、記録媒体の振り分けのための判定条件として、露出モード、ホワイトバランス、ＩＳＯ感度の例を挙げたが、これに限らず、撮影者の意図を反映可能な手動設定手段であれば、本発明を適用できる。
このように、撮影モード、ホワイトバランス、ＩＳＯ感度等の撮影条件に応じて、画像を記録する記録媒体を振り分けているので、撮影後に目的とする画像を簡単に探し出すことのできるデジタルカメラを提供することができる。
【００４９】
なお、本実施形態においては、デジタルカメラとして一眼レフタイプに適用した例を説明したが、本発明はデジタル一眼レフカメラに限らず、例えば、コンパクトタイプ等のデジタルカメラにも適用でき、さらには、携帯電話に設けられたデジタルカメラにも適用できることは、勿論である。また、本実施形態においては、記録媒体はＡとＢの２つ装填できるように構成されていたが、３以上の記録媒体を装填できるように構成してもよいことは勿論である。
【図面の簡単な説明】
【００５０】
【図１】本発明を適用した実施形態におけるデジタル一眼レフカメラの全体構成を示すブロック図である。
【図２】本発明の実施形態におけるデジタル一眼レフカメラを背面から見た外観斜視図である。
【図３】本発明の実施形態における記録媒体Ａと記録媒体Ｂの装填状態を示す斜視図である。
【図４】本発明の実施形態における表示と動作モードを示すブロック図である。
【図５】本発明の実施形態におけるモードダイヤルを示す平面図である。
【図６】本発明の実施形態におけるホワイトバランス設定用表示画面を示す図である。
【図７】本発明の実施形態におけるＩＳＯ感度設定用表示画面を示す図である。
【図８】本発明の実施形態における撮像動作を示すフローチャートである。
【図９】本発明の実施形態における再生動作を示すフローチャートである。
【図１０】本発明の実施形態におけるメモリカードに記録動作を示すフローチャートである。
【図１１】本発明の実施形態におけるメモリカードに記録動作の変形例を示すフローチャートである。
【図１２】本発明の実施形態におけるメニューモードで設定可能な画質モード、画像サイズ、ファイルサイズ等の関係を示す図である。
【図１３】記録媒体Ａと記録媒体Ｂに記録されている画像と表示の関係を示す図である。
【符号の説明】
【００５１】
２２  モードダイヤル
２６  液晶モニタ
３０  十字釦
３３  高画質設定釦
３４  標準画質設定釦
３７  ホワイトバランス釦
３８  ＩＳＯ感度釦
４０  記録媒体収納蓋
４１  記録媒体Ａ用装填スロット
４２  記録媒体Ｂ用装填スロット
１００  交換レンズ
１０１  １０２  レンズ
１０３  絞り
２１１  測光センサ
２１３  シャッタ
２２１  CCD
２２９  シーケンスコントローラ(ボディCPU)
２４３  記録媒体制御回路
２４５  記録媒体Ａ
２４６  記録媒体Ｂ
【図５】
2007214935.tif 000003
【図６】
2007214935.tif 000004
【図７】
2007214935.tif 000005
【図１】
2007214935.tif 000006
【図２】
2007214935.tif 000007
【図３】
2007214935.tif 000008
【図４】
2007214935.tif 000009
【図８】
2007214935.tif 000010
【図９】
2007214935.tif 000011
【図１０】
2007214935.tif 000012
【図１１】
2007214935.tif 000013
【図１２】
2007214935.tif 000014
【図１３】
2007214935.tif 000015